(57)【要約】【課題】動画の記録中に静止画を記録することのできる映像記録再生装置において、記録された静止画から対応する動画に、またその逆にアクセスすることが難しいという課題を有していた。【解決手段】動画の記録中に静止画を記録する際、動画と静止画の関連付けを表したリンク情報テーブルを記録媒体に作成、記録することで、静止画の再生時に、そのリンク情報テーブルを参照し、静止画を記録した前後の動画に容易にアクセスできるようにした。【選択図】図１
2006108842.tif 000002
【特許請求の範囲】
【請求項１】
少なくとも映像信号を含む映像音声入力信号を受信する映像音声入力部と、
外部から入力される、動画の記録開始、動画の記録停止および静止画記録のタイミングを伝達するイベントを監視するイベント監視部と、
動画および静止画を記録する記録媒体と、
前記映像音声入力信号を動画として前記記録媒体に記録する動画作成記録部と、
前記イベント監視部からの指示にもとづいて前記映像音声入力信号を静止画として前記記録媒体に記録する静止画作成記録部と、
動画と静止画とを関連付ける情報であるリンク情報を作成し前記記録媒体に記録するリンク情報作成記録部とを備え、
前記イベント監視部は、動画の記録中に外部から静止画記録のイベントが入力されると、前記静止画作成記録部に静止画記録を指示すると共に前記リンク情報作成記録部に前記リンク情報の作成を指示し、
前記リンク情報作成記録部は、現在記録中の動画の位置情報にもとづいて前記リンク情報を作成して前記記録媒体に記録する映像記録再生装置。
【請求項２】
複数の映像音声入力部を備え、
前記リンク情報作成記録部は、前記複数の映像音声入力部に入力された異なる映像音声入力信号に対する静止画と動画とを関連付けする請求項１記載の映像記録再生装置。
【請求項３】
前記イベント監視部は、入力される映像および音声の少なくともいずれか一方の変化量が所定のしきい値以上であった場合にイベントを伝達する映像音声監視部を備えた請求項１および２のいずれかに記載の映像記録再生装置。
【請求項４】
前記イベント監視部は、一定時間ごとにイベントを発行する定期イベント発行部を備えた請求項１および２のいずれかに記載の映像記録再生装置。
【請求項５】
前記イベント監視部からの指示により前記記録媒体から動画および静止画の少なくともいずれか一方を読み出して再生を行う動画静止画再生部を備え、
前記動画静止画再生部は、前記リンク情報にもとづいて、再生中の動画に関連した静止画が記録されていることを告知する静止画通知部を備えた請求項１乃至４のいずれかに記載の映像記録再生装置。
【請求項６】
前記動画静止画再生部は、再生中の動画のフレームから静止画を作成して前記静止画作成記録部に送る静止画作成部を備え、
前記イベント監視部は、動画の再生中に外部から静止画記録のイベントが入力されると、前記静止画作成記録部に現在再生中のフレームから静止画を作成するように指示すると共に前記リンク情報作成記録部にリンク情報の作成を指示し、
前記リンク情報作成記録部は、前記再生中のフレームと前記静止画とのリンク情報を作成する請求項１乃至５のいずれかに記載の映像記録再生装置。
【発明の詳細な説明】
【技術分野】
【０００１】
本発明は、静止画および動画を記録再生する映像記録再生装置に関し、より詳細には、静止画から動画および動画から静止画へのアクセス性や検索性を向上した映像記録再生装置に関する。
【背景技術】
【０００２】
従来より、動画と静止画を記録および再生することができる映像記録再生装置が用いられている。図８に、従来の映像記録再生装置の概略構成を示す。
【０００３】
以下、従来の映像記録再生装置７０１の動作について説明する。映像記録再生装置７０１が動画を記録する場合には、動画を記録するための指示を示すイベント７０６が入力される。イベント７０６を受信したイベント監視部７０７は、切り替えＳＷ７０９を動画側に切り替える。さらに、動画の記録を開始するための指示を示すイベント７０６が入力されると、イベント監視部７０７は動画作成記録部７０５に動画記録開始を伝える。動画作成記録部７０５は、映像音声入力部７０３を経て入力された映像音声入力信号７０２を記録媒体７０８に記録する。
【０００４】
次に、動画を記録中に静止画を記録する場合には、動画の記録を停止するための指示を示すイベント７０６が入力される。イベント７０６を受信したイベント監視部７０７は、動画作成記録部７０５に動画記録停止を伝える。動画作成記録部７０５はこれを受け、記録媒体７０８への動画記録を停止する。その後、静止画を記録するための指示を示すイベント７０６が入力されると、イベント監視部７０７は、切り替えＳＷ７０９を静止画側に切り替える。切り替えＳＷ７０９の切り替え後、静止画の記録を行うための指示を示すイベント７０６が入力されると、イベント監視部７０７は、静止画作成記録部７０４に静止画記録を伝え、静止画作成記録部７０４は、映像音声入力部７０３を経て入力された映像音声入力信号７０２の静止画を記録媒体７０８に記録する。
【０００５】
動画および静止画を再生する場合には、動画および静止画の再生のための指示を示すイベント７０６が入力される。イベント７０６を受信したイベント監視部７０７は、動画静止画再生部７１１に動画および静止画の再生を伝え、動画静止画再生部７１１は、記録媒体７０８に記録された動画および静止画のうち、指定されたものを読み出し、映像音声再生信号７１０として出力する。
【特許文献１】特開平８−２３５２０９公報
【発明の開示】
【発明が解決しようとする課題】
【０００６】
上述したように、従来の映像記録再生装置において動画を記録中に静止画を記録するためには、一旦、動画の記録を停止しなければならない問題があっただけではなく、動画と静止画を関連付けるリンク情報が存在しないため、記録された静止画から、その前後の動画情報にアクセスすることや、動画のある位置から、対応する静止画情報にアクセスすることが難しいという問題点があった。
【０００７】
本発明は、前記従来の問題点に鑑みてなされたもので、その目的は、動画記録中における静止画の記録に際し、動画と静止画のリンク情報を作成し、静止画から動画、または、動画から静止画へのアクセス性の向上を図ることである。
【課題を解決するための手段】
【０００８】
本発明は上記の目的を達成するために、少なくとも映像信号を含む映像音声入力信号を受信する映像音声入力部と、外部から入力される、動画の記録開始、動画の記録停止および静止画記録のタイミングを伝達するイベントを監視するイベント監視部と、動画および静止画を記録する記録媒体と、映像音声入力信号を動画として記録媒体に記録する動画作成記録部と、イベント監視部からの指示にもとづいて映像音声入力信号を静止画として記録媒体に記録する静止画作成記録部と、動画と静止画とを関連付ける情報であるリンク情報を作成し記録媒体に記録するリンク情報作成記録部とを備え、イベント監視部は、動画の記録中に外部から静止画記録のイベントが入力されると、静止画作成記録部に静止画記録を指示すると共にリンク情報作成記録部にリンク情報の作成を指示し、リンク情報作成記録部は、現在記録中の動画の位置情報にもとづいてリンク情報を作成して記録媒体に記録することを要旨とするものである。
【発明の効果】
【０００９】
本発明は、動画の記録中に静止画を記録する際、動画と静止画のリンク情報を作成して記録することにより、静止画を閲覧しながら、該当する動画の前後の映像に容易にアクセスすることができる。また、動画を視聴しながら、近傍の高精細な静止画に容易にアクセスするようなこともでき、検索性、アクセス性に優れた動画、静止画の記録装置を提供することができる。
【発明を実施するための最良の形態】
【００１０】
以下、図面を参照しながら本発明の実施の形態を説明する。
【００１１】
（実施の形態１）
図１は、本発明の実施の形態１における映像記録再生装置１００の概略構成を示すブロック図である。図１において、イベント監視部１０２は、外部から指示されるイベント７０６を受信して処理を行う。イベント７０６としては、動画の記録開始および停止、静止画の記録、動画記録中における静止画の記録等がある。リンク情報作成記録部１０１は、イベント監視部１０２からの指示により、動画と静止画を関連付ける情報であるリンク情報を作成、および、記録を行う。動画静止画再生部１０３は、イベント監視部１０２からの指示に従い、記録媒体７０８から動画や静止画の読み出しを行う。その他の構成は、図８に示す従来の構成と同様であるので、同一の番号を付与し、説明は省略する。
【００１２】
なお、記録媒体７０８には、ＤＶＤ−ＲＡＭディスクを想定しているが、アクセス速度、容量、価格を鑑み、半導体メモリ、磁気ディスク、光ディスクなどの媒体を適宜使用してもよい。さらに、記録媒体７０８として、静止画、動画およびリンク情報でそれぞれ異なる媒体を利用してもよい。
【００１３】
図２に、動画と静止画のお互いの関連付けを表すリンク情報テーブルを示す。リンク情報テーブル２０１は記録媒体７０８に記録され、必要に応じて更新される。一般的に、記録媒体７０８上の動画２０３の任意の位置は、プログラム番号２０５（以下、ＰＧと記す）とタイムコード２０６（以下、ＴＣと記す）で表すことができ、ＰＧとＴＣを指定することで、指定位置での頭出しや指定位置からの再生を開始することができる。なお、プログラム番号は、記録媒体上での動画ファイルのファイル名でもよい。また、静止画２０２は、記録媒体上では、ファイル名２０４を与えることで一意に特定することができる。そしてリンク情報は、ＰＧとＴＣとで特定される記録媒体７０８上のある動画のあるフレームを、ファイル名２０４で特定される記録媒体７０８上のある静止画と結びつける情報である。このリンク情報を用いれば、同時刻に入力された動画と静止画との間で互いに参照しあうことができる。
【００１４】
なお、静止画２０２には、静止画毎のファイル名２０４を割り当てているが、１つのファイル内に複数の静止画を取り込む場合には、任意の静止画を指定するために、ファイル名に加えてファイルの先頭からのオフセット長や静止画の長さで静止画を特定してもよい。
【００１５】
以上のように構成された映像記録再生装置について、以下、その動作を説明する。映像記録再生装置１００は、映像音声入力部７０３は外部からの映像音声信号７０２を受信する。この映像音声入力信号７０２は、静止画作成記録部７０４と動画作成記録部７０５とに入力される。なお、映像音声入力信号７０２には、音声は必ずしも含まれていなくともよい。映像記録再生装置１００の外部より動画の記録を開始する指令であるイベント７０６がイベント監視部１０２に入力されると、イベント情報管理部１０２は動画作成記録部７０５に動画記録開始を指示する。この指示により動画作成記録部７０５は、記録媒体７０８への動画の記録を開始する。動画作成記録部７０５は、入力された映像音声入力信号７０２に対して符号化処理等を行った後、記録媒体７０８へ記録していく。
【００１６】
動画の記録中に外部より、静止画の記録を指示する指令であるイベント７０６がイベント監視部１０２に入力されると、イベント監視部１０２はリンク情報作成記録部に対してリンク情報作成を指示する。リンク情報作成記録部１０１は動画作成記録部７０５に対して問い合わせを行い、現在記録中の動画の位置情報であるプログラム番号２０５（例として、２０７で示すＰＧ１）とタイムコード２０６（例として、２０８で示すＴＣ００：００：１７）を獲得する。次にイベント監視部１０２は、静止画作成記録部７０４に対し、ファイル名２０４（例として、２０６で示すＡＡＡ．ＪＰＧ）を指定して静止画の記録を行う指示を出す。静止画作成記録部７０４には、動画作成記録部７０５に入力されているフレーム（またはフィールド）と同一の映像が入力されている。静止画作成記録部７０４は、この映像を静止画として記録媒体７０８へ記録する。さらに、リンク情報作成記録部１０１は、静止画のファイル名であるＡＡＡ．ＪＰＧ、動画の位置情報であるＰＧ１およびＴＣ００：００：１７を静止画と動画とを関連付ける情報として記録媒体７０８上のリンク情報テーブル２０１に追加する。このようなテーブルを作成することで、入力された同時刻の映像を動画および静止画の形式で記録し、それらを関連付けすることができる。そして、リンク情報テーブル２０１において、静止画ＡＡＡ．ＪＰＧから対応する動画の位置情報であるＰＧ１、ＴＣ００：００：１７を検索し、動画の該当位置（またはその所定時間前）から再生を行ったり、また、これとは逆に、動画の位置情報であるＰＧ１、ＴＣ００：００：１７から対応する静止画のファイル名ＡＡＡ．ＪＰＧを検索し、この静止画ファイルを表示するといったことが可能となる。
【００１７】
なお、本実施の形態の映像記録再生装置は、動画の記録中に静止画を記録することだけではなく、動画だけ、または、静止画だけの記録を行うこともでき、この場合、リンク情報は更新されなくてもよい。
【００１８】
さらに、リンク情報を作成する際、動画の位置情報の取得については、イベントが入力されてからの遅延を考慮してリンク情報テーブルを作成してもよい。
【００１９】
（実施の形態２）
次に、本発明の実施の形態２について説明する。図３は、本発明の実施の形態２における映像記録再生装置の概略構成を示している。図３の映像記録再生装置１００において、映像音声入力部Ａ３０３に対して映像音声入力信号Ａ３０１が入力され、この映像音声入力信号A３０１が静止画作成記録部７０４に入力される。また、映像音声入力部Ｂ３０４に対して映像音声入力信号Ｂ３０２が入力され、この映像音声入力信号Ｂ３０２が動画作成記録部７０５に入力される。その他の構成は、図１に示す実施の形態１の構成と同様である。また、本実施の形態で用いるリンク情報テーブルは、図２に示した通りである。
【００２０】
以上のように構成された映像記録再生装置について、以下、その動作を説明する。実施の形態１と異なるのは、２つの独立した信号入力として映像音声入力信号Ａ３０１および映像音声入力信号Ｂ３０２がそれぞれ、静止画作成記録部７０４および動画作成記録部７０５に入力されていることである。したがって、基本動作としては、実施の形態１で説明した動作と全く同じである。異なる点は、異なる入力映像に基づく動画と静止画の関連付けが実施の形態１と同様にリンク情報テーブル２０１として作成される、ということである。本実施の形態の具体的な利用方法としては、野球のピッチャーの動作を動画で記録しながら、バッターの動作を静止画として記録することや、または、解像度の異なる映像を入力することにより、動画に比べて解像度の高い静止画を記録するような使い方ができる。
【００２１】
（実施の形態３）
次に、本発明の実施の形態３について説明する。図４は、本発明の実施の形態３における映像記録再生装置の概略構成を示している。図４のように、本実施の形態の映像記録再生装置１００では、イベント監視部１０２が映像や音声を監視する映像音声監視部４０１を備えている。その他の構成は、図１に示す実施の形態１の構成と同様である。また、リンク情報テーブルは、図２に示した通りである。
【００２２】
以上のように構成された映像記録再生装置について、以下、その動作を説明する。実施の形態１と異なるのは、映像音声監視部４０１が映像や音声のデータ量や音声レベルを監視してイベント監視部１０２にイベントを通知するようにした部分である。映像音声監視部４０１は、映像のデータ量、音声のデータ量および音声レベルのうち少なくともいずれかひとつに時間軸方向の大きな変化があった場合（変化量が所定のしきい値以上となった場合等）に、イベント監視部１０２にイベントを通知することができる。ここでの映像のデータ量、音声のデータ量とは、入力された映像音声入力信号７０２が、動画作成記録部７０５において可変長符号化された後の、所定の単位ごとのデータ量のことである。所定の単位とは、フレーム単位、フィールド単位、ＭＰＥＧフォーマットにおけるＧＯＰ単位等である。
【００２３】
本実施の形態の利用方法としては、たとえば、本実施の形態の映像記録再生装置を防犯用の動画、静止画の記録再生装置として使用することが挙げられる。記録フォーマットとしてＭＰＥＧのような可変長符号化処理を利用している場合には、それまでほとんど変化のなかった固定カメラの映像の中に人物が入ることで映像に変化が生じ、その結果、圧縮映像のデータ量が大幅に増化する。また、そのような状況の変化により物音がすることも考えられる。この性質を利用して静止画、動画、および、リンク情報を記録するのである。そして後ほど静止画を参照して、異常内容の大まかな確認を行い、必要であれば、静止画から動画にアクセスし、前後の詳細の状況を確認することができる。なお、映像音声監視部４０１がデータ量の増加を検知し、これにより静止画を記録する場合には、所定間隔で複数の静止画を記録するようにしてもよい。このようにすることで、一定間隔で記録された複数の静止画を参照するだけでも、より的確にその瞬間の状況を把握することができる。
【００２４】
（実施の形態４）
次に、本発明の実施の形態４について説明する。図５は、本発明の実施の形態４における映像記録再生装置の概略構成を示している。図５のように本実施の形態の映像記録再生装置１００では、イベント監視部１０２が定期イベント発生部５０１を備えている。その他の構成は図１に示す実施の形態１の構成と同様である。また、リンク情報テーブルは、図２に示した通りである。
【００２５】
以上のように構成された映像記録再生装置１００について、以下、その動作を説明する。実施の形態１と異なるのは、イベント監視部１０２に定期イベント発生部５０１を設け、予め設定された時間間隔で定期的にイベントをイベント監視部１０２に通知するという点である。
【００２６】
本実施の形態の利用方法としては、たとえば、監視用の動画、静止画の記録再生装置として、駅構内に設置し、動画を記録しながら、ある一定間隔で静止画の記録、および、リンク情報の記録を行うというものである。そして、後ほど、静止画を参照して、不審者などの特定を行い、必要であれば、静止画から動画にアクセスし、前後の状況を確認することができる。
【００２７】
（実施の形態５）
次に、本発明の実施の形態５について説明する。図６は、本発明の実施の形態５における映像記録再生装置の概略構成を示している。図６のように本実施の形態の記録再生装置１００では、動画静止画再生部１０３が静止画通知部６０１を備えている。その他の構成は、図１に示す実施の形態１の構成と同様である。また、リンク情報テーブルは、図２に示した通りである。
【００２８】
以上のように構成された映像記録再生装置について、以下、その動作を説明する。実施の形態１と異なるのは、動画静止画再生部１０３に静止画通知部６０１を設け、記録媒体７０８から読み出したリンク情報テーブルに基づき、動画の再生中に静止画とリンクされている部分を再生すると、静止画通知部６０１がイベントを通知するという点である。
【００２９】
本実施の形態の利用方法としては、たとえば、静止画通知部６０１が静止画の再生を検知してイベントを発行すると、映像記録再生装置中の制御部（図示せず）がこのイベントを受け取り、動画の再生画面上の左下に静止画とリンクしていることを表すアイコンを表示し利用者に知らせたり、さらに、装置の外部に出力することにより、動画に同期した、テロップのスーパーインポーズなどにも利用することができる。
【００３０】
（実施の形態６）
次に、本発明の実施の形態６について説明する。図７は、本発明の実施の形態６における映像記録再生装置の概略構成を示している。図７のように本実施の形態の記録再生装置１００では、動画静止画再生部１０３が静止画作成部８０１を備えており、さらに、作成した静止画を静止画作成記録部に入力することで記録媒体７０８に記録する。その他の構成は、図１に示す実施の形態１の構成と同様である。また、リンク情報テーブルは、図２に示した通りである。
【００３１】
以上のように構成された記録再生装置について、以下、その動作を説明する。実施の形態１と異なるのは、動画静止画再生部１０３に静止画作成部８０１を設け、動画の再生時に静止画の作成を指示するイベント７０６を受信したイベント監視部１０２からの指示にしたがい、イベント７０６を受信したときに再生中のフレームから新たに静止画を作成して静止画作成記録部７０４に送り、静止画作成記録部７０４がこの静止画を記録媒体７０８に記録する点である。さらに、このとき、リンク情報作成記録部１０１において再生中のフレームと作成した静止画とのリンク情報を作成し、記録媒体７０８上のリンク情報テーブルを更新することにより、動画と関連した静止画を追加することができる。
【産業上の利用可能性】
【００３２】
本発明の映像記録再生装置は、静止画と動画間のアクセス性を向上できるため、医療用途等、的確かつ迅速な診断を行う映像記録再生装置等に対して有用である。
【図面の簡単な説明】
【００３３】
【図１】本発明の実施の形態１における装置構成を示す図
【図２】本発明の各実施の形態におけるリンク情報テーブルを示す図
【図３】本発明の実施の形態２における装置構成を示す図
【図４】本発明の実施の形態３における装置構成を示す図
【図５】本発明の実施の形態４における装置構成を示す図
【図６】本発明の実施の形態５における装置構成を示す図
【図７】本発明の実施の形態６における装置構成を示す図
【図８】従来の映像記録再生装置の構成を示す図
【符号の説明】
【００３４】
１００  映像記録再生装置
１０１  リンク情報作成記録部
１０２  イベント監視部
１０３  動画静止画再生部
２０１  リンク情報テーブル
２０４  ファイル名
２０５  プログラム番号
２０６  タイムコード
３０３  映像音声入力部Ａ
３０４  映像音声入力部Ｂ
４０１  映像音声監視部
５０１  定期イベント部
６０１  静止画通知部
７０１  従来の映像記録再生装置
７０３  映像音声入力部
７０４  静止画作成記録部
７０５  動画作成記録部
７０７  イベント監視部
７０８  記録媒体
７０９  切替ＳＷ
７１１  動画静止画再生部
８０１  静止画作成部
【図１】
2006108842.tif 000003
【図２】
2006108842.tif 000004
【図３】
2006108842.tif 000005
【図４】
2006108842.tif 000006
【図５】
2006108842.tif 000007
【図６】
2006108842.tif 000008
【図７】
2006108842.tif 000009
【図８】
2006108842.tif 000010